【手続補正書】
【提出日】平成25年2月8日(2013.2.8)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折率の第２レンズ群、正の屈折力の第３レンズ群、正の屈折力の第４レンズ群から成り、ズーミングに際して、前記第１レンズ群は不動であり、前記第２レンズ群及び前記第４レンズ群が移動し、隣り合うレンズ群の間隔が変化するズームレンズであって、前記第２レンズ群は、物体側より像側へ順に、負の屈折力の第２１レンズ、負の屈折力の第２２レンズ、負の屈折力の第２３レンズ、正の屈折力の第２４レンズから成り、広角端における全系の焦点距離をｆｗ、望遠端における全系の焦点距離をｆｔ、前記第２レンズ群の焦点距離をｆ２、最も像側のレンズ面から像面までの距離を空気換算した際の、最も物体側のレンズ面から像面までの光軸上の距離をＴＬ、前記第２レンズ群の最も物体側のレンズ面から前記第２レンズ群の最も像側のレンズ面までの光軸上の距離をＤ２とするとき、
０．０１＜｜ｆ２／√（ｆｗ＊ｆｔ）｜＜０．３５
０．０７０＜Ｄ２／ＴＬ＜０．１０５
なる条件式を満足することを特徴とするズームレンズ。
【請求項２】
前記第１レンズ群の焦点距離をｆ１するとき、
５．０ ＜ ｜ｆ１ ／ ｆ２｜ ＜ ７．０
なる条件式を満足することを特徴とする請求項１に記載のズームレンズ。
【請求項３】
前記第２１レンズの焦点距離をｆ２１、前記第２２レンズの焦点距離をｆ２２、前記第２３レンズの焦点距離をｆ２３とするとき、
３．０ ＜ ｆ２２ ／ ｆ２１ ＜ ８．０
１．５ ＜ ｆ２２ ／ ｆ２３ ＜ ２．５
なる条件式を満足することを特徴とする請求項１又は２に記載のズームレンズ。
【請求項４】
前記第２１レンズと前記第２２レンズの空気間隔をＤ２１、該第２２レンズと前記第２３レンズとの空気間隔をＤ２２とするとき、
０．７ ＜ Ｄ２１ ／ Ｄ２２ ＜ １．４
なる条件式を満足することを特徴とする請求項１乃至３のいずれか１項に記載のズームレンズ。
【請求項５】
前記第２１レンズ、第２２レンズ、第２３レンズの材料の平均屈折率をＮｎ２、前記第２４レンズの材料の屈折率をＮｐ２４とするとき、
０．１２ ＜ Ｎｐ２４ − Ｎｎ２ ＜ ０．１６
Ｎｐ２４ ＞ １．９
なる条件式を満足することを特徴とする請求項１乃至４のいずれか１項に記載のズームレンズ。
【請求項６】
前記第３レンズ群の焦点距離をｆ３とするとき、
３．８ ＜ ｆ３ ／ ｆｗ ＜ ５．２
なる条件式を満足することを特徴とする請求項１乃至５のいずれか１項に記載のズームレンズ。
【請求項７】
前記第４レンズ群の焦点距離をｆ４とするとき、
２．０ ＜ ｜ｆ４ ／ ｆ２｜ ＜ ４．０
なる条件式を満足することを特徴とする請求項１乃至６のいずれか１項に記載のズームレンズ。
【請求項８】
前記第２１レンズは像側が凹でメニスカス形状であり、前記第２２レンズは像側が凹形状であり、前記第２３レンズは両凹形状であり、前記第２４レンズは物体側が凸形状であることを特徴とする請求項１乃至７のいずれか１項に記載のズームレンズ。
【請求項９】
前記第２レンズ群と前記第３レンズ群の間にズーミングに際して固定の開口絞りを有することを特徴とする請求項１乃至８のいずれか１項に記載のズームレンズ。
【請求項１０】
請求項１から９のいずれか１項に記載のズームレンズと、該ズームレンズによって形成された像を受光する固体撮像素子を有していることを特徴とする撮像装置。
【手続補正２】
【補正対象書類名】明細書
【補正対象項目名】０００７
【補正方法】変更
【補正の内容】
【０００７】
本発明のズームレンズは、物体側より像側へ順に、正の屈折力の第１レンズ群、負の屈折率の第２レンズ群、正の屈折力の第３レンズ群、正の屈折力の第４レンズ群から成り、ズーミングに際して、前記第１レンズ群は不動であり、前記第２レンズ群及び前記第４レンズ群が移動し、隣り合うレンズ群の間隔が変化するズームレンズであって、前記第２レンズ群は、物体側より像側へ順に、負の屈折力の第２１レンズ、負の屈折力の第２２レンズ、負の屈折力の第２３レンズ、正の屈折力の第２４レンズから成り、広角端における全系の焦点距離をｆｗ、望遠端における全系の焦点距離をｆｔ、前記第２レンズ群の焦点距離をｆ２、最も像側のレンズ面から像面までの距離を空気換算した際の、最も物体側のレンズ面から像面までの光軸上の距離をＴＬ、前記第２レンズ群の最も物体側のレンズ面から前記第２レンズ群の最も像側のレンズ面までの光軸上の距離をＤ２とするとき、
０．０１＜｜ｆ２／√（ｆｗ＊ｆｔ）｜＜０．３５
０．０７０＜Ｄ２／ＴＬ＜０．１０５
なる条件式を満足することを特徴としている。
【手続補正３】
【補正対象書類名】明細書
【補正対象項目名】００１０
【補正方法】変更
【補正の内容】
【００１０】
以下、本発明のズームレンズ及びそれを有する撮像装置の実施例について説明する。本発明のズームレンズは、物体側より像側へ順に、正の屈折力の第１レンズ群、負の屈折力の第２レンズ群、正の屈折力の第３レンズ群、正の第４レンズ群より成っている。ズーミングに際して、前記第１レンズ群は不動であり、第２レンズ群および第４レンズ群が移動し、隣り合うレンズ群の間隔が変化する。フォーカスに際しては第４レンズ群が移動する。第１レンズ群の物体側又は第４レンズ群の像側の少なくとも一方にコンバーターレンズ等の屈折力のあるレンズ群が配置される場合もある。
【手続補正４】
【補正対象書類名】明細書
【補正対象項目名】００２１
【補正方法】変更
【補正の内容】
【００２１】
広画角化、高ズーム比（高倍率化）を図ると、ズーミングにおける変倍用のレンズ群の移動量と前玉有効径が増大してくる。前玉有効径の小型化を図るには、絞り位置を前玉側に近づける事が重要になってくる。そのため、各実施例のズームレンズは物体側より像側へ順に、正、負、絞り、正、正の屈折力のレンズ群より成る４群構成としている。そして第２レンズ群Ｌ２の全長（物体側のレンズ面から像側のレンズ面までの長さ）を抑えることにより、第１レンズ群Ｌ１と絞りＳＰとの間隔を狭めている。
【手続補正５】
【補正対象書類名】明細書
【補正対象項目名】００２４
【補正方法】変更
【補正の内容】
【００２４】
条件式（１）は、第２レンズ群Ｌ２のパワーを規定する条件式である。条件式（１）の下限値を下回ると第２レンズ群Ｌ２のパワーが過剰に強くなり、ズーミングにおける像面湾曲の変化を抑えることが困難となる。一方、条件式の上限値を上回ると、第２レンズ群Ｌ２のパワーが弱くなってしまい、所定のズーム比を得るために必要な移動量が大きくなってしまい、前玉有効径が大型化し、またレンズ全長（第１レンズ面から像面までの長さ）が長大化して、全系の小型化が困難になる。
【手続補正６】
【補正対象書類名】明細書
【補正対象項目名】００２５
【補正方法】変更
【補正の内容】
【００２５】
条件式（２）は、第２レンズ群Ｌ２の全長を規定する条件式である。条件式（２）の上限値を上回ると、ズーミングの際に必要な第２レンズ群Ｌ２の移動量を確保しようとすると、全長が長大化してくる。また第１レンズ群Ｌ１と絞りＳＰとの間隔が広がってしまうことで前玉有効径が大型化し、全系の小型化が困難になる。条件式（２）の下限値を下回ると、各レンズの中心肉厚が過剰に薄くなり、安定してレンズを製造するのが難しくなる。
各実施例において更に好ましくは条件式（１）、（２）の数値範囲を次の如く設定するの
が良い。
０．１００＜｜ｆ２／√（ｆｗ＊ｆｔ）｜＜０．３４５      −（１ａ）
条件式（１ａ）により、更に像面湾曲の変化を軽減するのが容易になる。
０．０７５＜Ｄ２／ＴＬ＜０．１０２                      −（２ａ）
条件式（２ａ）により、更に全系の小型化が容易になる。更に好ましくは条件式（１ａ）、（２ａ）の数値範囲を次の如く設定するのが良い。
０．１５＜｜ｆ２／√（ｆｗ＊ｆｔ）｜＜０．３４          −（１ｂ）
条件式（１ｂ）により、更に像面湾曲の変化を軽減するのが容易になる。
０．０８０＜Ｄ２／ＴＬ＜０．１００                      −（２ｂ）
条件式（２ｂ）により、更に全系の小型化が容易になる。
【手続補正７】
【補正対象書類名】明細書
【補正対象項目名】００５２
【補正方法】変更
【補正の内容】
【００５２】
数値実施例１
面データ
面番号       r        d      nd         νd       
1         65.534    1.60   1.84666    23.9       
2         27.639    6.70   1.69680    55.5       
3          ∞       0.17                         
4         26.864    3.40   1.80400    46.6       
5         66.684  (可変)                         
6         77.463    0.70   1.88300    40.8       
7          6.760    1.95                         
8         20.424    0.60   1.77250    49.6       
9         12.026    1.84                         
10        -22.172    0.60   1.77250    49.6       
11         40.052    0.30                         
12         16.128    1.70   1.94595    18.0       
13        217.453  (可変)                         
14(絞り)    ∞       1.20                         
15*        10.543    4.50   1.58313    59.4       
16*       -22.615    0.50                         
17         26.128    0.80   1.80518    25.4       
18         10.802  (可変)                         
19         18.581    3.50   1.51823    58.9       
20         -8.372    0.60   1.80518    25.4       
21        -14.422  (可変)                         
22          ∞       2.25   1.51633    64.1       
23          ∞       3.38 
像面        ∞   
非球面データ
第15面
K =-9.71802e-001  
A 3=-1.41237e-005  A 5= 1.68899e-006  A 7= 1.13104e-008  A 9=-3.93385e-010  
第16面
K =-1.13015e+001  
A 3=-1.30222e-006  A 5= 4.58682e-006  A 7=-4.97281e-008  
各種データ
ズーム比     19.79 
広角     中間     望遠
焦点距離       4.80    28.91    95.00      
Fナンバー      1.65     3.06     3.50       
半画角（度）   33.7      5.9      1.8
像高           3.00     3.00     3.00       
レンズ全長    79.88    79.88    79.88      
BF            11.36    17.01     6.96      
d 5            0.80    20.27    26.42      
d13           27.17     7.70     1.55       
d18            9.89     4.24    14.30       
d21            6.50    12.15     2.09      
ズームレンズ群データ
群  始面    焦点距離  
1    1      39.22        
2    6      -6.82         
3   14      22.10         
4   19      20.77         
【手続補正８】
【補正対象書類名】明細書
【補正対象項目名】００５３
【補正方法】変更
【補正の内容】
【００５３】
数値実施例２
面データ
面番号       r        d      nd         νd       
1         65.056    1.60   1.84666    23.9       
2         27.426    6.97   1.69680    55.5       
3       14215.813    0.17                         
4         26.685    3.36   1.80400    46.6       
5         65.550  (可変)                         
6         67.371    0.60   1.88300    40.8       
7          6.752    1.89                         
8         17.676    0.50   1.77250    49.6        
9         10.227    1.99                          
10        -23.921    0.50   1.80400    46.6        
11         47.138    0.31                          
12         15.385    1.74   1.94595    18.0        
13        155.525  (可変)                          
14(絞り)    ∞       1.30                         
15*        10.789    4.29   1.58313    59.4      
16*       -30.027    0.50                         
17         16.148    0.80   1.84666    23.9       
18          9.383  (可変)                         
19         18.143    3.31   1.51633    64.1        
20         -8.905    0.60   1.84666    23.9        
21        -14.452  (可変)                          
22          ∞       2.25   1.51633    64.1       
23          ∞       3.38 
像面        ∞   
非球面データ
第15面
K =-9.06891e-001  
A 3=-1.03530e-005  A 5= 3.25109e-006  A 7=-2.60610e-008  A 9=-9.36882e-010  
第16面
K =-1.93183e+001  
A 3=-7.69346e-006  A 5= 6.25992e-006  A 7=-1.26916e-007  
各種データ
ズーム比     19.73 
広角     中間     望遠
焦点距離       4.79    28.80    94.51      
Fナンバー      1.65     3.06     3.50       
半画角（度）   33.7      6.0      1.8
像高           3.00     3.00     3.00       
レンズ全長    79.84    79.84    79.84      
BF            11.71    17.06     7.00      
d 5            0.75    20.29    26.46      
d13           27.16     7.62     1.45       
d18            9.79     4.44    14.50       
d21            6.84    12.20     2.13      
ズームレンズ群データ
群  始面    焦点距離  
1    1      39.25        
2    6      -6.93         
3   14      22.66         
4   19      20.52         
【手続補正９】
【補正対象書類名】明細書
【補正対象項目名】００５４
【補正方法】変更
【補正の内容】
【００５４】
数値実施例３
面データ
面番号       r        d      nd         νd       
1         63.263    1.60   1.84666    23.9       
2         27.111    6.29   1.69680    55.5       
3       1525.195    0.17                         
4         26.708    3.23   1.80400    46.6       
5         64.501  (可変)                         
6         56.421    0.20   1.88300    40.8       
7          6.623    1.93                         
8         17.756    0.20   1.77250    49.6       
9         10.773    1.91                         
10        -24.802    0.20   1.80400    46.6       
11         51.245    0.49                         
12         15.233    1.73   1.94595    18.0       
13        107.928  (可変)                         
14(絞り)    ∞       1.30                         
15*        11.183    4.20   1.58313    59.4       
16*       -32.677    0.50                         
17         16.253    0.80   1.84666    23.9       
18          9.646  (可変)                         
19         19.178    3.25   1.51633    64.1       
20         -9.105    0.60   1.84666    23.9       
21        -14.556  (可変)                         
22          ∞       2.25   1.51633    64.1       
23          ∞       3.79 
像面        ∞   
非球面データ
第15面
K =-8.60027e-001  
A 3= 2.12921e-006  A 5= 2.72892e-006  A 7= 4.57890e-009  A 9=-5.94387e-010  
第16面
K =-2.15573e+001  
A 3= 1.46828e-005  A 5= 6.62351e-006  A 7=-8.38539e-008  
各種データ
ズーム比     19.66 
広角     中間     望遠
焦点距離       4.80    28.88    94.39      
Fナンバー      1.65     3.06     3.50       
半画角（度）   33.7      5.9      1.8
像高           3.00     3.00     3.00       
レンズ全長    79.63    79.63    79.63      
BF            12.37    17.53     7.27      
d 5            0.72    20.81    27.15      
d13           28.36     8.27     1.92       
d18            9.60     4.43    14.69       
d21            7.10    12.26     2.00      
ズームレンズ群データ
群  始面    焦点距離  
1    1      39.71        
2    6      -7.20         
3   14      23.70         
4   19      20.97         
【手続補正１０】
【補正対象書類名】明細書
【補正対象項目名】００５５
【補正方法】変更
【補正の内容】
【００５５】
数値実施例４
面データ
面番号       r        d      nd         νd       
1         56.792    1.60   1.84666    23.9       
2         25.828    7.13   1.60311    60.6       
3       -899.450    0.20                         
4         25.404    3.62   1.80400    46.6       
5         75.745  (可変)                         
6         64.274    0.70   1.88300    40.8       
7          6.355    1.87                         
8         17.714    0.60   1.77250    49.6       
9         11.146    1.70                         
10        -25.447    0.60   1.77250    49.6       
11         30.421    0.30                         
12         13.847    1.66   1.94595    18.0       
13         78.491  (可変)                         
14(絞り)    ∞       1.30                         
15*        10.133    3.36   1.58313    59.4       
16         86.836    2.44                         
17        -74.636    0.65   1.84666    23.9       
18         36.631    0.58                         
19*        57.105    1.56   1.58313    59.4       
20        -42.525  (可変)                         
21         17.183    3.58   1.51633    64.1       
22         -9.574    0.60   1.84666    23.9       
23        -15.670  (可変)                         
24          ∞       2.25   1.51633    64.1       
25          ∞       4.02 
像面        ∞   
非球面データ
第15面
K =-9.50879e-001  A 4= 1.22186e-004  A 6= 1.18292e-006  A 8=-1.85370e-009  A10=
3.29077e-010  
第19面
K = 3.62611e+001  A 4=-3.00814e-004  A 6=-1.55891e-006  A 8=-6.72189e-008  
各種データ
ズーム比     19.71 
広角     中間     望遠
焦点距離       4.79    35.47    94.49      
Fナンバー      1.65     3.17     3.50       
半画角（度）   33.5      4.8      1.8
像高           3.00     3.00     3.00       
レンズ全長    79.81    79.81    79.81      
BF            12.34    17.19     6.91      
d 5            0.67    20.22    24.51      
d13           25.24     5.70     1.40       
d20            7.51     2.66    12.94       
d23            6.84    11.69     1.41      
ズームレンズ群データ
群  始面    焦点距離  
1    1      36.71      
2    6      -6.58      
3   14      23.31      
4   21      20.74      
【手続補正１１】
【補正対象書類名】明細書
【補正対象項目名】００５６
【補正方法】変更
【補正の内容】
【００５６】
数値実施例５
面データ
面番号       r        d      nd         νd       
1         52.945    1.60   1.84666    23.9       
2         26.184    6.74   1.69680    55.5       
3        301.666    0.17                         
4         29.474    3.24   1.80400    46.6       
5         79.520  (可変)                         
6         93.731    0.60   2.00069    25.5       
7          7.457    1.86                         
8         24.500    0.80   1.91082    35.3       
9         13.000    2.05                         
10        -27.000    0.50   1.48749    70.2       
11          9.922    2.25   1.94595    18.0       
12         61.575  (可変)                         
13(絞り)    ∞       1.30                         
14*        11.189    3.23   1.58313    59.4       
15         46.818    3.79                         
16        -29.890    0.65   1.84666    23.9       
17        132.096    0.20                         
18         37.682    1.73   1.58313    59.4       
19*       -24.558  (可変)                         
20         16.048    4.84   1.48749    70.2       
21         -9.798    0.60   1.76182    26.5       
22        -18.668  (可変)                         
23          ∞       2.25   1.51633    64.1       
24          ∞       3.64 
像面        ∞   
非球面データ
第14面
K =-5.80665e-001  A 4= 2.34574e-005  A 6= 2.03502e-006  A 8=-7.19435e-008  A10=
1.49915e-009  A12=-9.47487e-012  
第19面
K =-8.80881e-001  A 4= 1.43040e-004  A 6= 6.06800e-007  A 8= 5.63717e-008  A10=
-2.96243e-009  A12= 4.88851e-011  
各種データ
ズーム比     19.85 
広角     中間     望遠
焦点距離       4.76    27.77    94.40      
Fナンバー      1.65     3.06     3.50       
半画角（度）   34.1      6.2      1.8
像高           3.00     3.00     3.00       
レンズ全長    83.88    83.88    83.88      
BF            11.28    16.91     7.13      
d 5            0.77    20.61    26.87      
d12           27.56     7.72     1.46       
d19            8.12     2.49    12.27       
d22            6.15    11.79     2.01      
ズームレンズ群データ
群  始面    焦点距離  
1    1      40.03        
2    6      -6.88         
3   13      23.12        
4   20      23.90